(57)【特許請求の範囲】
【請求項１】
半田で溶融変形しない耐熱性を有した装飾品本体の周面にコパーテープを貼着し、装飾品本体に貼付されたコパーテープ表面に半田を溶融付着する第1工程と、
装飾品本体の半田が溶融付着された部分の一方の面であって台板と接する面に半田からなる塊体を付着し、その半田の塊体が付着された装飾品本体の面を台板と対向して台板上に載置し、第1工程で半田が溶融付着された装飾品本体の上面に半田を盛りつける第２工程と、
さらに半田を上面から加熱して、半田の上面を平らにし、上面から下面に余剰分の半田を流して装飾品本体表面に半田の飾りを作成する第３工程と、
からなることを特徴とする装飾品の製作方法。
【請求項２】
請求項１の製作方法により作成された装飾物の半田部分に、半田部分が硬化する前に耐熱性のある物質を押し付けて半田部分の形状を加工することを特徴とする装飾品の製作方法。
【請求項３】
請求項１又は２により製作された装飾品。
【発明の詳細な説明】
【技術分野】
【０００１】
本発明は半田で溶融変形しない耐熱性を有した素材を用いた装飾品の製作において、半田を加工し、立体的な形状のデザインを製作するのに有用なものである。
【背景技術】
【０００２】
ガラス片を用いた装飾品の一つであるステンドグラスは、任意の形状及び大きさに切断した色ガラス片を接合し、その接合部の形状や色ガラス片の組み合わせで絵柄や装飾形状を呈するように製作する。
ガラス片同士の接合には、粘着銅テープ等のコパーテープをガラス片の周面に貼着し、そのガラス片同士を合わせて半田ゴテ等を用いて半田付けする方法が用いられている。
この半田付けの際、半田はガラス片同士を合わせるために用いられるものであり、コパーテープに沿って薄く塗布されるものである。
【０００３】
また、接合部の半田やコパーテープの外観をステンドグラス全体の色調に合わせたり、色調や雰囲気を壊さないように目立たなくさせたりするために、接合部を着色剤で着色している。
【特許文献１】特開２００７−０７０１９２号公報
【発明の開示】
【発明が解決しようとする課題】
【０００４】
しかしながら、従来のステンドグラスの装飾品の製作では、ガラス片同士の接合の際、粘着銅テープ等のコパーテープをガラス周面に貼着し、そのガラス片同士を合わせて半田ゴテ等を用いて半田付けするが、この半田は完成品の表現する絵柄や装飾形状に影響を及ぼさないようになるべく薄く均一に塗布されるものであり、ステンドグラス製作者は、ガラス片の表面に半田を立体的に装飾することはない。
【０００５】
かかる背景から、装飾品製作において、半田で溶融変形しない耐熱性を有した素材の周面にコパーテープを貼着し、貼付されたコパーテープ表面に半田を溶融付着し、これを台板上に載置し、さらに素材上面に半田を盛りつけ、半田上面から加熱して、上面を平らにした時、半田の余剰分が上面から下面に流れて、半田を平らに均した面とは反対側に半田の装飾物が形成されることを見出した。
【０００６】
本発明の目的は、上記知見に基づき、ガラス片を用いた装飾品の一つであるステンドグラスの作成方法に新たな方法を加えることにより、ガラス片等からなる新しいデザインの装飾品の製作を可能にするものである。
【課題を解決するための手段】
【０００７】
請求項1にかかる製作方法は、半田で溶融変形しない耐熱性を有した装飾品本体の周面にコパーテープを貼着し、装飾品本体に貼付されたコパーテープ表面に半田を溶融付着する第1工程と、第1工程後、装飾品本体の半田が溶融付着された部分の一方の面であって台板と接する面に半田からなる塊体を付着し、その半田の塊体が付着された装飾品本体の面を台板と対向して台板上に載置し、第1工程で半田が溶融付着された装飾品本体の上面に半田を盛りつける第2工程と、さらに半田を上面から加熱して、半田の上面を平らにし、上面から下面に余剰分の半田を流して装飾品本体表面に半田の飾りを作成する第3工程と、からなることを特徴とする装飾品の製作方法である。
本発明において使用する装飾品本体としては、例えばガラス板、鏡、鉱石を平板状にスライスしたもの、半田が付きにくい金属板等が挙げられる。
請求項２にかかる製作方法は、請求項１の製作方法により作成された装飾物の半田部分に、半田部分が硬化する前に耐熱性のある物質を押し付けて半田部分の形状を加工する装飾品の製作方法である。
本発明において「押し付ける」とは上から下に押し付ける手法のみならず、鋭利な物を押し付けた状態で水平方向に移動させて表面を不規則に撫でる手法をも含むものである。
請求項３にかかるガラス片等からなる板状の装飾品は、請求項１又は２により製作された装飾品である。その装飾品は単体でも、装飾品に連結具を取り付け、複数個を連結した装飾品としても良い。
【発明の効果】
【０００８】
半田で溶融変形しない耐熱性を有した装飾品本体に、半田を装飾の目的で溶融付着することで、新しいデザインの装飾品を製作することができる。
【発明を実施するための最良の形態】
【０００９】
以下、本発明の実施の形態の一例を図面に基づいて説明する。
本発明によりガラス片を用いた板状の装飾品を製作するには、図1の（ａ）に示すようにデザインした型紙を用意し、その型紙に沿って、型紙よりもやや大きめにガラス片をガラスカッターで切断し、装飾品本体1を作成する。次に、同図（ｂ）に示すように切断した装飾品本体1の周面をモーラーで削り、周面をなだらかにする（同図（ｃ））。更に、同図（ｄ）に示すように装飾品本体1の周面にコパーテープ2を巻き、このコパーテープ2の部分に半田3を溶融付着する。この時、コパーテープ2の面に予めフラックスを塗布しておくと半田3をきれいに接着することが出来る。
装飾品本体1の周面に対するコパーテープ２の貼付は、装飾品本体1の外周面のみならず、外周面と交差する上面及び下面の外周縁に跨って貼付する。
【００１０】
コパーテープ2表面への半田づけは、まず、同図（ｅ）に示すように一度コパーテープ2に薄く半田3を溶融付着し（同図（ｆ））、同図（ｇ）に示すように装飾品本体1の台板5と接する面に、フラックスを塗布した複数個の半田3で作った球（塊体）7を付着し、木片等からなる台板5上に載置し、上面の外周に貼付した前記コパーテープ２上に半田3を盛る（同図（ｈ）（ｉ））。
同図（ｊ）に示すように上面の半田3を盛った部分を半田ゴテ4で加熱し、平らになるように溶かす。この際、装飾品本体は台板5上に球（塊体）7を介して載置されているため、台板5との間に隙間が形成され、下面の半田の球（塊体）7が土台となり、下面に余剰分の半田3が垂れ流れた形状で溶融付着する。下面に付着した球（塊体）7も溶融し、上面から垂れ流れた半田3と一体になり半田の凸凹した飾り形状6が形成され、台板5と対向した面には、平面的な部分と立体的な部分が生まれる（同図（ｋ））。なお、この半田の球（塊体）7は、半田ゴテ4の先端に半田3を少量付着し、半田ゴテ4を上下に振ることで作り出すことができる。半田3を付着し終わった後、装飾品本体1を水洗いし、付着している薬品を除去し乾燥することで装飾品が完成する。
【００１１】
図2は、図1に示す（ａ）から（ｆ）までの工程を行った後、台板5上に装飾品本体１を載置し、上面外周に半田3を盛り、この上面の半田3を盛った部分を半田ゴテで加熱し、下面に余剰分の半田3を垂れ流す。下面への垂れ流れは、前示実施例のように台板との間に隙間を確保する為の球（塊体）７を取り付けずに、装飾品本体1の歪みや台板5の凹凸により形成された装飾品本体1と台板5との隙間に半田が垂れ流れた形状で溶融付着される。こうして、前示実施例と同様に半田の凸凹した飾り形状が形成される。図２はそうして製作された装飾品の一例を示している。
また、図2に示す装飾品の半田部分表面にフラックスを薄く塗布し、更に半田を盛ることで丸みのある立体的な半田の装飾部分を有する装飾品を製作することが可能である。
【００１２】
図3は、図1に（ａ）から（ｊ）までの工程を行い製作される装飾品の一例を示している。なお、図中、8は装飾品完成後、装飾品の周面に半田で取り付けた連結具である。
図4に示すようにコパーテープの貼着部分はガラス片等の周面に限らず、そのガラス片の全面又は一部に貼着し、デザイン上、不要な部分のコパーテープを除去後、上記の要領で半田を溶融付着し、半田部分による装飾がより多い装飾品とすることも可能である。
また装飾品本体1としてガラス片の代わりに鏡片を用いても良い。
【００１３】
図６は、半田の装飾部分が硬化する前に、その半田の装飾部分の全部または一部９を鋭利な物を押し付けた状態で水平方向に移動させて表面を不規則に撫でる手法または図２に示す装飾品の側面に半田を足し、前述と同様の手法により製作された装飾品の一例である。
また、半田の装飾部分が硬化する前に、砂を吹き付けて乾燥後、砂を除去する手法等を用いて半田部分を加工しても良い。
【００１４】
さらに、図5に示すようにこの要領で製作されたガラス片の装飾品を複数個組み合わせ、金具でつなぎペンダントやイヤリングといった装飾品を製作することも可能である。
デザインによっては、半田部分、各片の連結に用いた金具部分を、硫酸銅を含んだ水溶液を塗布し、銅色や黒色にこれらの部分を変色させても良い。
また、予め製作してあるビーズ等の装飾品を接着剤により装飾品本体の表面に装飾的に付着した装飾品としても良い。
【図面の簡単な説明】
【００１５】
【図１】装飾品の製作工程を示す説明図である。
【図２】製作した装飾品の一例を示す図である。
【図３】図1に示す製作工程で製作した装飾品の一例を示す図である。
【図４】装飾品本体の一例を示す図である。
【図５】本発明にかかる製作方法により製作された装飾品を金具でつなぎ製作したペンダントの一例を示す図である。
【図６】製作した装飾品の一例を示す図である。
【符号の説明】
【００１６】
１…装飾品本体
２…コパーテープ
３…半田
４…半田ゴテ
５…台板
６…半田の装飾部 
７…半田の球（塊体）
８…連結具
９…半田の装飾部
【図１】
0005260907.tif 000002
【図２】
0005260907.tif 000003
【図３】
0005260907.tif 000004
【図４】
0005260907.tif 000005
【図５】
0005260907.tif 000006
【図６】
0005260907.tif 000007